Podtech/llm-jp-corpus-v4-ja_patent huggingface dataset:
【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
患者を蘇生するための、当該ハウジング内に強制空気を吹き込むための入力端部、および、当該強制空気を排出する出力端部を備える中空ハウジングと、
前記両端部間であって前記ハウジング内に位置されて開口を有する弁座と、
内側部と外側部とを有するとともに、前記弁座の開口を閉じる空気閉止位置と前記入力端部から前記出力端部への前記強制空気の流れを許容する空気流通位置とを有する、前記弁座と前記ハウジングの出力端部との間に位置される弁体と、
前記ハウジングの出力端部と前記弁体の外側部との間であって当該ハウジングの内側部にしっかりと固定されるとともに、外端縁と内端縁とを有し、当該外端縁が当該内端縁より前記ハウジングの出力端部に近接されている板と、
前記弁体の外側部に固定される一対の離隔された棒とを備えており、
前記弁体を前記強制空気に応じて閉止位置から流通位置まで移動する一対の可動部に分割するために、前記板の前記内端縁が当該棒間に受けられ前記弁体を当該板に取り付けてなる、救助者のための患者を蘇生する蘇生装置。
【請求項２】
前記棒が前記弁体を横切るように横方向に向いており、前記板の内端縁が前記棒の間の空間に圧入される、請求項１記載の蘇生装置。
【請求項３】
前記弁体は横方向幅および縦方向長さを有して長円形状をなしており、前記棒は前記弁体をその縦方向中央を横方向に横切るように延びている、請求項１記載の蘇生装置。
【請求項４】
患者を蘇生するための、当該ハウジング内に強制空気を吹き込むための入力端部、および、当該強制空気を排出する出力端部を備える中空ハウジングと、
前記両端部間であって前記ハウジング内に位置されて開口を有する弁座と、
内側部と外側部とを有するとともに、前記弁座の開口を閉じる空気閉止位置と前記入力端部から前記出力端部への前記強制空気の流れを許容する空気流通位置とを有する、前記弁座と前記ハウジングの出力端部との間に位置される弁体と、
前記ハウジングの出力端部と前記弁体の外側部との間であって当該ハウジングの内側部にしっかりと固定されるとともに、外端縁と内端縁とを有し、当該外端縁が当該内端縁より前記ハウジングの出力端部に近接されている板と、
前記弁体の外側部に位置されるとともに、前記弁体を前記強制空気に応じて閉止位置から流通位置まで移動する一対の可動部に分割すべく当該弁体を前記板に固定する取付手段と、
前記ハウジングの内部に固定される第一ポストと、
前記ハウジングの内部に当該第一ポストと互いに対向する関係位置に固定される第二ポストとを備えており、
前記板が第一側端部と当該第一側端部と対向する第二側端部とを有しており、当該第一側端部が前記第一ポストに取り付けられ、前記第二側端部が前記第二ポストに取り付けられてなる、救助者のための患者を蘇生する蘇生装置。
【請求項５】
前記ハウジングが実質的に長円形状をなしており、前記板が前記ハウジングの内部において前記第一側端部から第二側端部まで横方向に延びている、請求項４記載の蘇生装置。
【請求項６】
患者を蘇生するための、当該ハウジング内に強制空気を吹き込むための入力端部、および、当該強制空気を排出する出力端部を備える中空ハウジングと、
前記両端部間であって前記ハウジング内に位置されて開口を有する弁座と、
内側部と外側部とを有するとともに、前記弁座の開口を閉じる空気閉止位置と前記入力端部から前記出力端部への前記強制空気の流れを許容する空気流通位置とを有する、前記弁座と前記ハウジングの出力端部との間に位置される弁体と、
前記ハウジングの出力端部と前記弁体の外側部との間であって当該ハウジングの内側部にしっかりと固定されるとともに、外端縁と内端縁とを有し、当該外端縁が当該内端縁より前記ハウジングの出力端部に近接されている板と、
前記弁体の外側部に位置されるとともに、前記弁体を前記強制空気に応じて閉止位置から流通位置まで移動する一対の可動部に分割すべく当該弁体を前記板に固定する取付手段とを備えており、
前記弁体が前記板の内側縁と前記弁座との間に挟まれており、
前記弁座が前記入力端部に向かって前記弁体の内側への動作を防ぐように構成されてなる、救助者のための患者を蘇生する蘇生装置。
【手続補正書】
【提出日】平成16年12月17日(2004.12.17)
【手続補正１】
【補正対象書類名】明細書
【補正対象項目名】０００８
【補正方法】変更
【補正の内容】
【０００８】
【発明の実施の形態】
【実施例】
図１は、本発明のスイッチング電源のトランスのリーケージインダクタンス補償方法を説明するための図である。
図１は、図２に示した１次巻き線電圧制御方式のスイッチング電源回路の出力電圧検出制御回路の関係する部分を示してある。
図１において、図２と同一の部分には、同一の符合を付けてその説明を省略する。図１のＬｏはリーケージインダクタンスである。リーケージインダクタンスＬｏはトランスＴの１次巻線Ｌ１と１次側出力電圧検出用の巻線Ｌ３との間のリーケージインダクタンスを示している。トランスＴの１次巻線Ｌ１と２次巻線Ｌ２との間にもリーケージインダクタンスが存在するがトランスの各巻線間の結合の傾向は類似している。
【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
ディスプレイにおいてカーソルまたはカーソルの設定されたＧＵＩコンポーネントのアニメーション表現を実行するＧＵＩ表示装置であり、
カーソル移動指示入力情報に基づいて検索エンジンによる検索処理を実行し、カーソル移動先を決定するフォーカスナビゲータと、
前記フォーカスナビゲータの決定するカーソルの移動先指示情報に従って、カーソルの移動処理を実行するフォーカスマネージャと、
前記フォーカスマネージャにより実行されるカーソル移動に伴うカーソルまたはカーソルの設定されたＧＵＩコンポーネントの状態に応じたアニメーション表示処理を実行するフォーカスオブジェクトとを有し、
前記ＧＵＩコンポーネントの形状と同様の形状を持つアイコンが、移動方向に向けて順次発生し、カーソル移動に伴って後方のアイコンが消滅することにより、前記ＧＵＩコンポーネントのアニメーション表現を行なう構成を有することを特徴とするＧＵＩ表示装置。
【請求項２】
前記アニメーションを構成するイメージには、カーソル移動の可能な方向を示す方向情報を持つイメージを含み、前記フォーカスオブジェクトは、フォーカス状態にあるコンポーネントについて、前記方向情報を持つイメージに基づくアニメーション表示処理を実行する構成であることを特徴とする請求項１に記載のＧＵＩ表示装置。
【請求項３】
前記フォーカスオブジェクトは、カーソルがコンポーネントに設定されたフォーカス状態と、コンポーネント間を移動するカーソル移動状態とで異なるイメージから構成されるアニメーション表示処理を実行する構成であることを特徴とする請求項１に記載のＧＵＩ表示装置。
【請求項４】
ディスプレイにおいてカーソルまたはカーソルの設定されたＧＵＩコンポーネントのアニメーション表現を実行するアニメーション表示処理方法であり、
カーソル移動指示入力情報に基づいて検索エンジンによる検索処理を実行し、カーソル移動先を決定するステップと、
決定したカーソルの移動先指示情報に従って、カーソルの移動処理を実行するステップと、
カーソル移動に伴うカーソルまたはカーソルの設定されたＧＵＩコンポーネントの状態に応じたアニメーション表示処理を実行するアニメーション表示ステップとを有し、
前記アニメーション表示ステップは、
前記ＧＵＩコンポーネントの形状と同様の形状を持つアイコンが、移動方向に向けて順次発生し、カーソル移動に伴って後方のアイコンが消滅することにより、前記ＧＵＩコンポーネントのアニメーション表現を行なうステップであることを特徴とするアニメーション表示処理方法。
【請求項５】
前記アニメーションを構成するイメージには、カーソル移動の可能な方向を示す方向情報を持つイメージを含み、前記アニメーション表示ステップは、フォーカス状態にあるコンポーネントについて、前記方向情報を持つイメージに基づくアニメーション表示処理を実行することを特徴とする請求項４に記載のアニメーション表示処理方法。
【請求項６】
前記アニメーション表示ステップは、カーソルがコンポーネントに設定されたフォーカス状態と、コンポーネント間を移動するカーソル移動状態とで異なるイメージから構成されるアニメーション表示処理を実行することを特徴とする請求項４に記載のアニメーション表示処理方法。
【請求項７】
ディスプレイにおいてカーソルまたはカーソルの設定されたＧＵＩコンポーネントのアニメーション表示処理を実行するコンピュータ・プログラムであって、
カーソル移動指示入力情報に基づいて検索エンジンによる検索処理を実行し、カーソル移動先を決定するステップと、
決定したカーソルの移動先指示情報に従って、カーソルの移動処理を実行するステップと、
カーソル移動に伴うカーソルまたはカーソルの設定されたＧＵＩコンポーネントの状態に応じたアニメーション表示処理を実行するアニメーション表示ステップとを有し、
前記アニメーション表示ステップは、
前記ＧＵＩコンポーネントの形状と同様の形状を持つアイコンが、移動方向に向けて順次発生し、カーソル移動に伴って後方のアイコンが消滅することにより、前記ＧＵＩコンポーネントのアニメーション表現を行なうステップであることを特徴とするコンピュータ・プログラム。
【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
グラフィカル・ユーザインタフェース（ＧＵＩ）を構成するコンポーネントの機能および表示態様の設定情報を持つＧＵＩアプリケーションの開発支援を行なうＧＵＩアプリケーション開発支援装置であり、
データ入力部と、
コンポーネントの機能に関するプログラムを格納した論理部品を記憶した論理部品記憶部と、
コンポーネントのグラフィックス表現に関するプログラムを格納したグラフィックス表現部品を記憶したグラフィックス表現部品記憶部と、
前記論理部品記憶部から抽出した論理部品と、前記グラフィックス表現部品記憶部から抽出したグラフィックス表現部品とを組み合わせて、ＧＵＩコンポーネントを生成する編集処理部とを有し、
前記グラフィックス表現部品記憶部は、複数の異なるグラフィックス表現処理実行プログラムを格納した複数のグラフィックス表現部品記憶部からなり、
少なくとも１以上のグラフィックス表現部品記憶部の格納するグラフィックス表現部品にはペイント処理実行プログラムが格納されており、
さらに、少なくとも１以上のグラフィックス表現部品記憶部の格納するグラフィックス表現部品には、アニメーション実行プログラムが格納されており、
前記編集処理部は、前記データ入力部に入力された入力情報に従って、前記複数のグラフィックス表現部品記憶部から１つのグラフィックス表現部品記憶部を選択し、選択記憶部からグラフィックス表現部品を抽出する処理を実行する構成であることを特徴とするＧＵＩアプリケーション開発支援装置。
【請求項２】
前記編集処理部は、ＧＵＩコンポーネントの生成において、各コンポーネントに対応するプロパティ、メソッド、および、イベントの編集処理を実行する構成であることを特徴とする請求項１に記載のＧＵＩアプリケーション開発支援装置。
【請求項３】
グラフィカル・ユーザインタフェース（ＧＵＩ）を構成するコンポーネントの機能および表示態様の設定情報を持つＧＵＩアプリケーションを生成するＧＵＩアプリケーションプログラム生成方法であり、
入力データ受領ステップと、
コンポーネントの機能に関するプログラムを格納した論理部品を記憶した論理部品記憶部から論理部品を選択抽出する論理部品選択ステップと、
前記入力データ受領ステップにおいて受領した情報に基づいて、少なくともペイント処理実行プログラムおよびアニメーション実行プログラムを含むコンポーネントのグラフィックス表現に関する複数の異なるグラフィックス表現処理実行プログラムを格納した複数のグラフィックス表現部品記憶部から、１つのグラフィックス表現部品記憶部を選択し、選択記憶部からグラフィックス表現部品の抽出処理を実行するグラフィックス表現部品選択ステップと、
前記入力データ受領ステップにおいて受領した情報に基づいて、前記論理部品記憶部から抽出した論理部品と、前記グラフィックス表現部品記憶部から抽出したグラフィックス表現部品とを組み合わせて、ＧＵＩコンポーネントを生成するステップと、
を有することを特徴とするＧＵＩアプリケーションプログラム生成方法。
【請求項４】
前記編集処理ステップは、ＧＵＩコンポーネントの生成において、各コンポーネントに対応するプロパティ、メソッド、および、イベントの編集処理を実行することを特徴とする請求項３に記載のＧＵＩアプリケーションプログラム生成方法。
【請求項５】
グラフィカル・ユーザインタフェース（ＧＵＩ）を構成するコンポーネントの機能および表示態様の設定情報を持つＧＵＩアプリケーションを生成するＧＵＩアプリケーションプログラム生成処理を実行するコンピュータ・プログラムであって、
入力データ受領ステップと、
コンポーネントの機能に関するプログラムを格納した論理部品を記憶した論理部品記憶部から論理部品を選択抽出する論理部品選択ステップと、
前記入力データ受領ステップにおいて受領した情報に基づいて、少なくともペイント処理実行プログラムおよびアニメーション実行プログラムを含むコンポーネントのグラフィックス表現に関する複数の異なるグラフィックス表現処理実行プログラムを格納した複数のグラフィックス表現部品記憶部から、１つのグラフィックス表現部品記憶部を選択し、選択記憶部からグラフィックス表現部品の抽出処理を実行するグラフィックス表現部品選択ステップと、
前記入力データ受領ステップにおいて受領した情報に基づいて、前記論理部品記憶部から抽出した論理部品と、前記グラフィックス表現部品記憶部から抽出したグラフィックス表現部品とを組み合わせて、ＧＵＩコンポーネントを生成するステップと、
を有することを特徴とするコンピュータ・プログラム。
【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
グラフィカル・ユーザインタフェース（ＧＵＩ）を構成するコンポーネントの機能および表示態様の設定情報を持つＧＵＩアプリケーションの開発支援を行なうＧＵＩアプリケーション開発支援装置であり、
コンポーネントのグラフィックス表現に関するプログラムを格納したグラフィックス表現部品を記憶したグラフィックス表現部品記憶部と、
前記グラフィックス表現部品において規定されるメソッドに従って読み出し可能なアニメーション・イメージデータを格納したイメージ記憶部と、
前記コンポーネントの状態に応じて読み出すイメージデータの対応付け処理を実行する編集処理部とを有し、
前記グラフィックス表現部品記憶部は、複数の異なるグラフィックス表現処理実行プログラムを格納した複数のグラフィックス表現部品記憶部からなり、
各グラフィックス表現部品記憶部に記憶されたグラフィックス表現部品は、それぞれ個別の読み出しイメージファイルの対応付けがなされた構成であり、
前記編集処理部は、複数の異なるコンポーネントの状態各々に対応付けて、異なる読み出しイメージデータを設定可能な構成を有することを特徴とするＧＵＩアプリケーション開発支援装置。
【請求項２】
前記ＧＵＩアプリケーション開発支援装置は、さらに、
コンポーネントの機能に関するプログラムを格納した論理部品を記憶した論理部品記憶部を有し、
前記編集処理部は、
前記論理部品記憶部から抽出した論理部品と、前記グラフィックス表現部品記憶部から抽出したグラフィックス表現部品とを組み合わせて、ＧＵＩコンポーネントを生成する構成であることを特徴とする請求項１に記載のＧＵＩアプリケーション開発支援装置。
【請求項３】
グラフィカル・ユーザインタフェース（ＧＵＩ）を構成するコンポーネントの機能および表示態様の設定情報を持つＧＵＩアプリケーションを生成するＧＵＩアプリケーションプログラム生成方法であり、
コンポーネントのグラフィックス表現に関するプログラムを格納し、それぞれ個別の読み出しイメージファイルの対応付けがなされたグラフィックス表現部品を記憶したグラフィックス表現部品記憶部からグラフィックス表現部品を選択抽出するグラフィックス表現部品選択ステップと、
前記グラフィックス表現部品選択ステップにおいて選択したグラフィックス表現部品に対応するコンポーネントの状態に応じて異なる読み出しイメージデータの対応付け処理を実行する編集処理ステップであり、複数の異なるコンポーネントの状態各々に対応付けて、前記グラフィックス表現部品において規定されるメソッドに従って読み出すアニメーション・イメージデータを、個別に設定する編集処理ステップと、
を有することを特徴とするＧＵＩアプリケーションプログラム生成方法。
【請求項４】
前記ＧＵＩアプリケーションプログラム生成方法は、さらに、
コンポーネントの機能に関するプログラムを格納した論理部品を記憶した論理部品記憶部から論理部品を読み出すステップを有し、
前記編集処理ステップは、
前記論理部品記憶部から抽出した論理部品と、前記グラフィックス表現部品記憶部から抽出したグラフィックス表現部品とを組み合わせて、ＧＵＩコンポーネントを生成するステップを含むことを特徴とする請求項３に記載のＧＵＩアプリケーションプログラム生成方法。
【請求項５】
グラフィカル・ユーザインタフェース（ＧＵＩ）を構成するコンポーネントの機能および表示態様の設定情報を持つＧＵＩアプリケーションプログラム生成処理を実行するコンピュータ・プログラムであって、
コンポーネントのグラフィックス表現に関するプログラムを格納し、それぞれ個別の読み出しイメージファイルの対応付けがなされたグラフィックス表現部品を記憶したグラフィックス表現部品記憶部からグラフィックス表現部品を選択抽出するグラフィックス表現部品選択ステップと、
前記グラフィックス表現部品選択ステップにおいて選択したグラフィックス表現部品に対応するコンポーネントの状態に応じて異なる読み出しイメージデータの対応付け処理を実行する編集処理ステップであり、複数の異なるコンポーネントの状態各々に対応付けて、前記グラフィックス表現部品において規定されるメソッドに従って読み出すアニメーション・イメージデータを、個別に設定する編集処理ステップと、
を有することを特徴とするコンピュータ・プログラム。
【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
ユーザシステムにインストールされている脆弱性検査ツールに対してネットワークを介して脆弱性検査情報を提供する脆弱性検査情報提供システムであって、
多種類ある脆弱性検査ツールの脆弱性検査情報項目の情報をすべて包含する脆弱性検査情報を格納したデータベースと、
前記ユーザシステムから所定の情報が送信されたとき、当該ユーザシステムに現在反映されていない脆弱性検査情報を、前記データベースから読出す手段と、
読出した脆弱性検査情報を、前記ユーザシステムの脆弱性検査ツールの種類に応じた形式に変換する手段と、
変換後の脆弱性検査情報を、新たに追加すべき脆弱性検査情報として前記ユーザシステムに送信する手段と
を備えたことを特徴とする脆弱性検査情報提供システム。
【請求項２】
ユーザシステムにインストールされている脆弱性検査ツールに対してネットワークを介して脆弱性検査情報を提供する脆弱性検査情報提供システムであって、
多種類ある脆弱性検査ツールの脆弱性検査情報項目の情報をすべて包含する脆弱性検査情報を、その登録日時とともに、格納したデータベースと、
前記ユーザシステムから、前回脆弱性情報を取得した日時を含む所定の情報が送信されたとき、前記データベースから、前回脆弱性情報を取得した日時以降に登録された脆弱性検査情報を読出す手段と、
読出した脆弱性検査情報を、前記ユーザシステムの脆弱性検査ツールの種類に応じた形式に変換する手段と、
変換後の脆弱性検査情報を、新たに追加すべき脆弱性検査情報として前記ユーザシステムに送信する手段と
を備えたことを特徴とする脆弱性検査情報提供システム。
【請求項３】
脆弱性検査ツールがインストールされているユーザシステムと、該脆弱性検査ツールに対して脆弱性検査情報を配布する脆弱性検査情報提供データベースとをネットワークに接続した脆弱性検査情報配布システムであって、
前記ユーザシステムは、
一定の時間間隔で、前記脆弱性検査情報提供データベースに対して、所定の情報を送信する手段と、
前記脆弱性検査情報提供データベースから脆弱性検査情報が送信されてきたとき、その脆弱性検査情報を、前記脆弱性検査ツールが保持する脆弱性検査情報に追加設定する手段と
を備え、
前記脆弱性検査情報提供データベースは、
多種類ある脆弱性検査ツールの脆弱性検査情報項目の情報をすべて包含する脆弱性検査情報を格納したデータベースと、
前記ユーザシステムから前記所定の情報が送信されてきたとき、当該ユーザシステムに現在反映されていない脆弱性検査情報を、前記データベースから読出す手段と、
読出した脆弱性検査情報を、前記ユーザシステムの脆弱性検査ツールの種類に応じた形式に変換する手段と、
変換後の脆弱性検査情報を、新たに追加すべき脆弱性検査情報として前記ユーザシステムに送信する手段と
を備えたことを特徴とする脆弱性検査情報配布システム。
【請求項４】
ユーザシステムにインストールされている脆弱性検査ツールに対してネットワークを介して脆弱性検査情報提供システムから脆弱性検査情報を提供する脆弱性検査情報提供方法であって、
ユーザシステムの情報取得条件作成手段が、一定の時間間隔で、脆弱性検査情報提供データベースに対して所定の情報を送信するステップと、
脆弱性検査情報提供データベースにて前記所定の情報を受信したとき、脆弱性検査情報提供システムの脆弱性情報読出し手段が、当該ユーザシステムに現在反映されていない脆弱性検査情報を、多種類ある脆弱性検査ツールの脆弱性検査情報項目の情報をすべて包含する脆弱性検査情報を格納したデータベースから、読出すステップと、
脆弱性検査情報提供システムのデータ変換手段が、読出した脆弱性検査情報を、前記ユーザシステムの脆弱性検査ツールの種類に応じた形式に変換するステップと、
前記データ変換手段が、変換後の脆弱性検査情報を、新たに追加すべき脆弱性検査情報として前記ユーザシステムに送信するステップと、
前記データ変換手段から脆弱性検査情報が送信されてきたとき、ユーザシステムの脆弱性検査項目追加手段が、その脆弱性検査情報を、前記脆弱性検査ツールが保持する脆弱性検査情報に追加設定するステップと
を備えたことを特徴とする脆弱性検査情報提供方法。
【手続補正２】
【補正対象書類名】明細書
【補正対象項目名】００１５
【補正方法】変更
【補正の内容】
【００１５】
請求項４に係る発明は、ユーザシステムにインストールされている脆弱性検査ツールに対してネットワークを介して脆弱性検査情報提供システムから脆弱性検査情報を提供する脆弱性検査情報提供方法であって、ユーザシステムの情報取得条件作成手段が、一定の時間間隔で、脆弱性検査情報提供データベースに対して所定の情報を送信するステップと、脆弱性検査情報提供データベースにて前記所定の情報を受信したとき、脆弱性検査情報提供システムの脆弱性情報読出し手段が、当該ユーザシステムに現在反映されていない脆弱性検査情報を、多種類ある脆弱性検査ツールの脆弱性検査情報項目の情報をすべて包含する脆弱性検査情報を格納したデータベースから、読出すステップと、脆弱性検査情報提供システムのデータ変換手段が、読出した脆弱性検査情報を、前記ユーザシステムの脆弱性検査ツールの種類に応じた形式に変換するステップと、前記データ変換手段が、変換後の脆弱性検査情報を、新たに追加すべき脆弱性検査情報として前記ユーザシステムに送信するステップと、前記データ変換手段から脆弱性検査情報が送信されてきたとき、ユーザシステムの脆弱性検査項目追加手段が、その脆弱性検査情報を、前記脆弱性検査ツールが保持する脆弱性検査情報に追加設定するステップとを備えたことを特徴とする。
【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
電気光学パネルを構成する２枚の基板うちの一方に接着要素を形成する接着要素形成工程と、
前記接着要素の形状を検査する検査工程と、
前記一方の基板と前記接着要素により形成された領域内に電気光学物質を滴下する滴下工程と、
前記検査工程後に、前記２枚の基板を貼り合わせる工程と、を有し、
前記検査工程により、前記接着要素の形状が欠落部分を有することが検出された場合には、前記滴下工程は、当該欠落部分を有する接着要素により形成される領域には前記電気光学物質を滴下しないことを特徴とする電気光学パネルの製造方法。
【請求項２】
前記検査工程は、
前記欠落部分を検出する第１の検査工程と、
前記接着要素の高さ及び幅を検出する第２の検査工程と、を有することを特徴とする電気光学パネルの検査方法。
【請求項３】
前記第２の検査工程により得られた前記接着要素の高さ及び幅が予め決められた許容範囲外である場合、次回接着要素描画工程にて形成する接着要素の高さ及び幅を調節することを特徴とする請求項２に記載の電気光学パネルの製造方法。
【請求項４】
前記滴下工程は、前記第２の検査工程により得られた前記接着要素の高さ及び幅に基づいて、滴下する電気光学物質の量を調整することを特徴とする請求項２に記載の電気光学パネルの製造方法。
【請求項５】
前記検査工程は、前記接着要素が形成された基板上にレーザ光を照射する工程と、
前記基板により反射された前記レーザ光の受光量に基づいて前記接着要素の形状を検査する工程と、を有することを特徴とする請求項１乃至４のいずれか一項に記載の電気光学パネルの製造方法。
【請求項６】
前記基板は前記接着要素により形成される領域を複数含む母基板であり、前記接着要素によって貼り合わせた後、前記母基板を分断して個々の電気光学パネルとすることを特徴とする請求項１乃至５のいずれか一項に記載の電気光学パネルの製造方法。
【請求項７】
請求項１乃至６のいずれか一項に記載の方法で製造された電気光学パネルを表示部として備える電子機器。
【請求項８】
電気光学パネルを構成する２枚の基板うちの一方に接着要素を形成する接着要素形成部と、
前記接着要素の形状を検査する検査部と、
前記一方の基板と前記接着要素により形成された領域内に電気光学物質を滴下する滴下部と、
前記検査工程後に、前記２枚の基板を貼り合わせる貼り合わせ部と、を有し、
前記検査部により、前記接着要素の形状が欠落部分を有することが検出された場合には、前記滴下部は、当該欠落部分を有する接着要素により形成される領域には前記電気光学物質を滴下しないことを特徴とする電気光学パネルの製造装置。
【手続補正書】
【提出日】平成17年7月12日(2005.7.12)
【手続補正１】
【補正対象書類名】明細書
【補正対象項目名】発明の名称
【補正方法】変更
【補正の内容】
【発明の名称】圧着装置、電気光学装置の製造装置、圧着方法および電気光学装置の製造方法
【手続補正２】
【補正対象書類名】明細書
【補正対象項目名】特許請求の範囲
【補正方法】変更
【補正の内容】
【特許請求の範囲】
【請求項１】
加圧対象物の加圧面と加圧ヘッドとの間に介在させるテープを供給するテープ供給リールと、
前記加圧ヘッドにより前記加圧対象物を加圧する加圧部と、
前記加圧対象物の前記加圧面と略水平に移動すると共に、移動方向に対して曲げた方向にテープを送る移動ローラと、
前記移動ローラと共に移動し且つ前記移動ローラの下流でテープを挟持する第一挟持部と、
前記移動ローラ及び前記第一挟持部の下流で前記テープを挟持する第二挟持部と、
前記第二挟持部の下流に前記テープをリールに巻くことなく送り出すテープ送出手段と、
を備えたことを特徴とする圧着装置。
【請求項２】
テープを巻回したテープ供給リールと、
前記テープ供給リールの下流に設けられ、加圧ステージと加圧ヘッドの間に加圧対象物を挟んで加圧する加圧部と、
前記テープを案内しつつ前記加圧対象物の前記加圧面と略水平に移動する移動ローラと、
前記移動ローラにて移動方向に対して曲げられる方向に送られたテープをアクチュエータにより動作する部材で挟むと共に、その挟持部分の下流に案内ローラを設けた第一挟持部と、
前記第一挟持部の前記案内ローラで案内されたテープの下流にて、当該テープをアクチュエータにより動作する部材で挟む第二挟持部と、
前記移動ローラおよび前記第一挟持部を、固定状態の前記第二挟持部に対して前記加圧面と略水平方向に移動させる直動装置と、
前記第二挟持部の下流に設けられ、前記テープをリールに巻くことなく送り出すテープ送出手段と、
を備えたことを特徴とする圧着装置。
【請求項３】
更に、加圧対象物の加圧面に対して気体を吐出する吐出手段と、吐出した気体を吸引する吸引手段とを備えたことを特徴とする請求項１または２に記載の圧着装置。
【請求項４】
更に、前記テープ送出手段の下流に、テープのみを回収するテープ回収箱を設けたことを特徴とする請求項１〜３のいずれか一つに記載の圧着装置。
【請求項５】
請求項１〜４のいずれか一つに記載の圧着装置を用いたことを特徴とする電気光学装置の製造装置。
【請求項６】
テープ供給リールから加圧対象物の加圧面上にテープを供給する手段と、
加圧部の加圧ヘッドにより前記加圧対象物を、前記テープを介して加圧する手順と、
第一挟持部の下流に設けた第二挟持部により前記テープを挟持する手順と、
移動ローラにより移動方向に対して曲げた方向に前記テープを送りながら、前記移動ローラを前記加圧対象物の前記加圧面と略水平に且つテープ挟持してない状態の前記第一挟持部と共に移動する手順と、
前記移動ローラを前記第一挟持部と共に、テープ送り量に基づいて必要量だけもとの方向に戻す手順と、
前記移動ローラの下流にて前記第一挟持部によりテープを挟持し、且つ第二挟持部によるテープの前記挟持を解く手順と、
前記移動ローラを前記第一挟持部と共にもとの位置に戻すことで、テープを送る手順と、
を含むことを特徴とする圧着方法。
【請求項７】
前記テープ送り方法により送られたテープをこのテープが巻かれていたリールと分別して回収することを特徴とする請求項６に記載の方法。
【請求項８】
テープ供給リールから加圧対象物の加圧面上にテープを供給する手段と、
加圧部の加圧ヘッドにより前記加圧対象物を、前記テープを介して加圧する手順と、
第一挟持部の下流に設けた第二挟持部により前記テープを挟持する手順と、
移動ローラにより移動方向に対して曲げた方向に前記テープを送りながら、前記移動ローラを前記加圧対象物の前記加圧面と略水平に且つテープ挟持してない状態の前記第一挟持部と共に移動する手順と、
前記移動ローラを前記第一挟持部と共に、テープ送り量に基づいて必要量だけもとの方向に戻す手順と、
前記移動ローラの下流にて前記第一挟持部によりテープを挟持し、且つ前記第二挟持部によるテープの前記挟持を解く手順と、
前記移動ローラを前記第一挟持部と共にもとの位置に戻すことで、テープを送る手順と、
前記テープ送り手段により送られた前記テープをこのテープが巻かれていたリールと分別して回収する手順と、
前記回収したテープをリサイクルする手順と
を含むことを特徴とする圧着方法。
【請求項９】
請求項６乃至８に記載の圧着方法を工程として備えることを特徴とする電気光学装置の製造方法。
【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】個人認証装置及び血管パターン抽出装置
【手続補正２】
【補正対象書類名】明細書
【補正対象項目名】特許請求の範囲
【補正方法】変更
【補正の内容】
【特許請求の範囲】
【請求項1】
光源と、
設置された指を透過した上記光源からの光を撮像する撮像部と、
上記撮像部で撮像された撮像画像から血管パターンを抽出し、該血管パターンと登録パターンを用いた個人認証を行う処理部とを有し、
上記処理部は、上記撮像画像から上記指の輪郭形状を抽出し、
上記輪郭形状の近似直線を求め、該近似直線が上記撮像画像の縁に水平になるように回転補正を行うことを特徴とすることを特徴とする個人認証装置。
【請求項２】 
上記処理部は、上記近似直線を上記輪郭形状を構成する複数の画素を用いた最小二乗法によって算出することを特徴とする請求項１記載の個人認証装置。
【請求項３】
上記処理部は、上記近似直線と上記画像の縁との交点を上記回転補正の回転中心とすることを特徴とする請求項１又は２に記載の個人認証装置。
【請求項４】
上記処理部は、上記撮像画像の中心に追跡点を設定し、
上記追跡点を基点として上記指の幅方向に上記撮像画像の縁に並行に移動して画素の輝度値の差分が最大となる点を境界点として検出し、
上記検出された２つの境界点から上記指の輪郭追跡を行って上記指の輪郭形状を抽出することを特徴とする請求項1乃至３の何れかに記載の個人認証装置。
【請求項５】
光源と、
設置された指を透過した上記光源からの光を撮像する撮像部と、
上記撮像部で撮像された撮像画像から血管パターンを抽出し、該血管パターンと登録パターンとを用いた個人認証を行う処理部とを有し、
上記処理部は、上記撮像画像の中心に追跡点を設定し、
上記追跡点を基点として上記指の幅方向に上記撮像画像の縁に並行に移動して画素の輝度値の差分が最大となる点を境界点として検出し、上記検出された２つの境界点から上記指の輪郭追跡を行って上記指の輪郭形状を抽出することを特徴とする個人認証装置。
【請求項６】
上記処理部は上記境界点の隣接画素周辺でもっとも差分値が大きい画素を選択することを繰り返して上記輪郭を追跡することを特徴とする請求項４又は５に記載の個人認証装置。
【請求項７】
上記処理部は、上記輪郭形状に基いて上記撮像画像の部分画像を切り出し、該切り出した画像から上記血管パターンの抽出を行うことを特徴とする請求項１乃至６の何れかに記載の個人認証装置。
【請求項８】
上記処理部は、上記輪郭形状の上記指の幅方向の中心軸を求め、該中心軸を中心となるように上記切り出しを行うことを特徴とする請求項７記載の個人認証装置。
【請求項９】
光源と、
設置された指を透過した上記光源からの光を撮像する撮像部と、
上記撮像部で撮像された撮像画像から血管パターンを抽出する処理部とを有し、
上記処理部は、上記撮像画像から上記指の輪郭形状を抽出し、
上記輪郭形状の近似直線を求め、該近似直線が上記撮像画像の縁に水平になるように回転補正を行うことを特徴とすることを特徴とする個人認証用の血管パターン抽出装置。
【請求項１０】
上記処理部は、上記撮像画像の中心に追跡点を設定し、
上記追跡点を基点として上記指の幅方向に上記撮像画像の縁に並行に移動して画素の輝度値の差分が最大となる点を境界点として検出し、
上記検出された２つの境界点から上記指の輪郭追跡を行って上記指の輪郭形状を抽出することを特徴とする請求項９に記載の血管パターン抽出装置。
【手続補正書】
【提出日】平成17年9月6日(2005.9.6)
【手続補正１】
【補正対象書類名】明細書
【補正対象項目名】特許請求の範囲
【補正方法】変更
【補正の内容】
【特許請求の範囲】
【請求項１】  ネットワークに接続された機器に対するアクセスを制御するシステムにおいて、
機器と一体または別個に設けられ、キーワードを提示するキーワード提示装置と、
上記キーワードが入力され、入力された上記キーワードを含む接続依頼を上記機器に対して送る端末装置と、
上記機器と一体または別個に設けられ、上記接続依頼に含まれる上記キーワードが上記キーワード提示装置により提示されたキーワードと一致する場合にのみ、上記接続依頼を受け付け、上記機器と上記端末との接続処理を行う接続制御装置とからなるアクセス制御システム。
【請求項２】  請求項１において、
上記キーワード提示装置は、時間毎に上記キーワードを変化させ、
上記接続制御装置は、上記接続依頼に含まれる上記キーワードが、上記キーワード提示装置により現在提示されているキーワードより任意の数前のキーワードのうちの一つと一致する場合にも上記接続依頼を受け付けるアクセス制御システム。
【請求項３】  請求項１において、
上記端末装置が上記接続制御装置と同一のＬＡＮに接続されたアクセス制御システム。
【請求項４】  請求項１において、
上記端末装置が上記接続制御装置が接続されたＬＡＮの外にあり、インターネットを経由して上記サービス依頼を上記接続制御装置に送るアクセス制御システム。
【請求項５】  ネットワークに接続された機器に対するアクセスを制御する方法において、
キーワードを提示するキーワード提示ステップと、
上記キーワードを入力し、入力された上記キーワードを含む接続依頼を上記機器に対して送るステップと、
上記接続依頼に含まれる上記キーワードが上記提示されたキーワードと一致する場合にのみ、上記接続依頼を受け付け、上記機器と上記端末との接続処理を行う接続ステップとからなるアクセス制御方法。
【請求項６】  ネットワークに接続された機器に対して接続依頼を送る端末装置において、
利用する機器の近傍に居る時にのみ知ることができる、時間毎にまたは利用毎に変化するキーワードが入力され、
入力された上記キーワードを含むサービス依頼を上記機器に対して送る端末装置。
【請求項７】  ネットワークに接続される機器において、
時間毎にまたは利用毎に変化するキーワードを提示するキーワード提示装置と、
現在のキーワードまたは現在のキーワードより任意の数、前のキーワードと一致するキーワードを含むサービス依頼のみを受け付け、受け付けた上記サービス依頼の処理を行う制御装置とからなるネットワーク機器。
【手続補正２】
【補正対象書類名】明細書
【補正対象項目名】０００７
【補正方法】変更
【補正の内容】
【０００７】
【課題を解決するための手段】
上述した課題を解決するために、請求項１の発明は、ネットワークに接続された機器に対するアクセスを制御するシステムにおいて、
機器と一体または別個に設けられ、キーワードを提示するキーワード提示装置と、
キーワードが入力され、入力されたキーワードを含む接続依頼を機器に対して送る端末装置と、
機器と一体または別個に設けられ、接続依頼に含まれるキーワードがキーワード提示装置により提示されたキーワードと一致する場合にのみ、接続依頼を受け付け、機器と端末との接続処理を行う接続制御装置とからなるアクセス制御システムである。
【手続補正３】
【補正対象書類名】明細書
【補正対象項目名】０００８
【補正方法】変更
【補正の内容】
【０００８】
請求項５の発明は、ネットワークに接続された機器に対するアクセスを制御する方法において、
キーワードを提示するキーワード提示ステップと、
キーワードを入力し、入力されたキーワードを含む接続依頼を機器に対して送るステップと、
接続依頼に含まれるキーワードが提示されたキーワードと一致する場合にのみ、接続依頼を受け付け、機器と端末との接続処理を行う接続ステップとからなるアクセス制御方法である。
【手続補正４】
【補正対象書類名】明細書
【補正対象項目名】０００９
【補正方法】変更
【補正の内容】
【０００９】
請求項６の発明は、ネットワークに接続された機器に対して接続依頼を送る端末装置において、
利用する機器の近傍に居る時にのみ知ることができる、時間毎にまたは利用毎に変化するキーワードが入力され、
入力されたキーワードを含むサービス依頼を機器に対して送る端末装置である。
【手続補正５】
【補正対象書類名】明細書
【補正対象項目名】００１０
【補正方法】変更
【補正の内容】
【００１０】
請求項７の発明は、ネットワークに接続される機器において、
時間毎にまたは利用毎に変化するキーワードを提示するキーワード提示装置と、
現在のキーワードまたは現在のキーワードより任意の数、前のキーワードと一致するキーワードを含むサービス依頼のみを受け付け、受け付けたサービス依頼の処理を行う制御装置とからなるネットワーク機器である。
【手続補正６】
【補正対象書類名】図面
【補正対象項目名】図２
【補正方法】変更
【補正の内容】
【図２】
2004102663.tif 000001
【手続補正書】
【提出日】平成16年5月27日(2004.5.27)
【手続補正１】
【補正対象書類名】明細書
【補正対象項目名】請求項３
【補正方法】変更
【補正の内容】
【請求項３】
前記使用頻度の高い表示データは、使用された回数を外部記憶媒体に記憶し、前記表示項目選択手段は前記外部記憶媒体に記憶されている多数の表示データから前記外部記憶媒体に記憶された使用頻度の高い表示データを自動的に選択して記憶するようにしたことを特徴とする請求項１記載の車載用表示装置。
【手続補正２】
【補正対象書類名】明細書
【補正対象項目名】０００８
【補正方法】変更
【補正の内容】
【０００８】
請求項３の手段は、前記請求項１の手段において、前記使用頻度の高い表示データは、使用された回数を外部記憶媒体に記憶し、前記表示項目選択手段は前記外部記憶媒体に記憶し、前記外部記憶媒体に記憶されている多数の表示データから前記外部記憶媒体に記憶された使用頻度の高い表示データを自動的に選択して記憶するようにしたことを特徴とする。
【手続補正３】
【補正対象書類名】明細書
【補正対象項目名】００１５
【補正方法】変更
【補正の内容】
【００１５】
ここで、必要表示項目選択とは、表示項目選択手段５において、予めメモリカード３に記憶させておく多数の表示データにそれぞれアドレスを付与しておき、表示項目選択手段５において予め前記アドレスの内のどのアドレスの表示データを記憶させるかを選択したり、または、メモリカード３に記憶されている表示データの内の記憶させたい表示データにフラグを付与しておき、表示項目選択手段５において前記フラグの付与されている表示データを選択するようにプログラムしておく。そして、前記したようにステップＳ５において選択された表示データはメモリ手段４に記憶される（ステップＳ６）。
【手続補正書】
【提出日】平成16年7月26日(2004.7.26)
【手続補正１】
【補正対象書類名】明細書
【補正対象項目名】００３０
【補正方法】変更
【補正の内容】
【００３０】
【発明の効果】
本発明によれば、遠隔教育授業等を希望するコミュニテイ（個人、学校、会社、組織、団体等）に対し、必要な情報、技術、パートナコミュニテイ（個人、学校、会社、組織、団体等）などの情報及び技術等を提供できる仲介システムを構築し、ユーザへ遠隔教育等に関わるトータルなサービスを提供することができる。また、システム構築者や技術提供者は、顧客の要望を即座に把握することができ、よりよいサービスの提供に向い、改善方針が決定でき、顧客によって、信用性の高い仲介システムを構築することが可能になる。一方、利用する顧客にとっても、仲介システムを利用する多くのコミュニテイから成るバイナルマーケティング、または、レイティング結果をもとに、多額の費用をかけないで、遠隔教育等を支援する一連のシステムを面倒なく利用することができる。
【手続補正書】
【提出日】平成17年9月5日(2005.9.5)
【手続補正１】
【補正対象書類名】明細書
【補正対象項目名】発明の名称
【補正方法】変更
【補正の内容】
【発明の名称】情報提供装置及びその制御方法及びプログラム
【手続補正２】
【補正対象書類名】明細書
【補正対象項目名】特許請求の範囲
【補正方法】変更
【補正の内容】
【特許請求の範囲】
【請求項１】  ネットワークを介して情報処理装置及び情報閲覧装置と通信可能な情報提供装置であって、
前記情報処理装置へリクエストを送信するリクエスト送信手段と、
前記情報処理装置から前記リクエストに対するレスポンスを受信するレスポンス受信手段と、
前記受信手段によりレスポンスが受信されたか否かを判定する判定手段と、
前記判定手段による判定結果に応じた運転状態情報を記憶する運転状態記憶手段と、
前記記憶手段に記憶された運転状態情報に基づき前記情報処理装置の選択画面を表示するための画面情報を生成する生成手段と、
前記生成手段により生成された画面情報を前記情報閲覧装置へ提供する画面情報提供手段とを備えたことを特徴とする情報提供装置。
【請求項２】  前記情報処理装置の運転スケジュールを記憶する運転スケジュール記憶手段をさらに備え、
前記運転状態記憶手段は、前記運転スケジュール及び前記判定結果に応じた運転状態情報を記憶することを特徴とする請求項１に記載の情報提供装置。
【請求項３】  前記生成手段は、前記運転スケジュール記憶手段に記憶された運転スケジュールと、前記判定手段による判定結果に応じたメッセージを含む画面情報を生成することを特徴とする請求項２記載の情報提供装置。
【請求項４】  前記判定手段により、前記受信手段によりレスポンスが受信されなかったと判定された回数をカウントするカウント手段をさらに備え、
前記運転状態記憶手段は、前記カウント手段によりカウントされた回数に応じた運転状態情報を記憶することを特徴とする請求項１に記載の情報提供装置。
【請求項５】  データを保管するデータ保管手段をさらに備え、
前記リクエスト送信手段は、前記保管手段に保管されたデータを印刷処理する印刷装置と通信可能な情報処理装置へ前記リクエストを送信することを特徴とする請求項１に記載の情報提供装置。
【請求項６】  前記選択画面にしたがって選択された情報処理装置へ前記データ保管手段に保管されたデータを転送する転送手段をさらに備えることを特徴とする請求項５に記載の情報提供装置。
【請求項７】  ネットワークを介して情報処理装置及び情報閲覧装置と通信可能な情報提供装置の制御方法であって、
前記情報処理装置へリクエストを送信するリクエスト送信ステップと、
前記情報処理装置から前記リクエストに対するレスポンスを受信するレスポンス受信ステップと、
前記受信ステップにてレスポンスが受信されたか否かを判定する判定ステップと、
前記判定ステップでの判定結果に応じた運転状態情報を記憶する運転状態記憶ステップと、
前記記憶ステップにて記憶された運転状態情報に基づき前記情報処理装置の選択画面を表示するための画面情報を生成する生成ステップと、
前記生成ステップにて生成された画面情報を前記情報閲覧装置へ提供する画面情報提供ステップとを備えたことを特徴とする制御方法。
【請求項８】  ネットワークを介して情報処理装置及び情報閲覧装置と通信可能な情報提供装置を制御するためのコンピュータ読み出し可能なプログラムであって、
前記情報処理装置へリクエストを送信するリクエスト送信ステップと、
前記情報処理装置から前記リクエストに対するレスポンスを受信するレスポンス受信ステップと、
前記受信ステップにてレスポンスが受信されたか否かを判定する判定ステップと、
前記判定ステップでの判定結果に応じた運転状態情報を記憶する運転状態記憶ステップと、
前記記憶ステップにて記憶された運転状態情報に基づき前記情報処理装置の選択画面を表示するための画面情報を生成する生成ステップと、
前記生成ステップにて生成された画面情報を前記情報閲覧装置へ提供する画面情報提供ステップとを備えたことを特徴とするプログラム。
【手続補正３】
【補正対象書類名】明細書
【補正対象項目名】０００１
【補正方法】変更
【補正の内容】
【０００１】
【発明の属する技術分野】
本発明は、情報処理装置や情報閲覧装置、情報提供装置がネットワークによって接続され、情報提供装置から提供されるデータを、情報処理装置が処理したり、情報閲覧装置が閲覧したりするような技術に関するものである。
【手続補正４】
【補正対象書類名】明細書
【補正対象項目名】０００９
【補正方法】変更
【補正の内容】
【０００９】
【課題を解決するための手段】
上記課題を達成するために、本願発明では、ネットワークを介して情報処理装置及び情報閲覧装置と通信可能な情報提供装置であって、前記情報処理装置へリクエストを送信するリクエスト送信手段と、前記情報処理装置から前記リクエストに対するレスポンスを受信するレスポンス受信手段と、前記受信手段によりレスポンスが受信されたか否かを判定する判定手段と、前記判定手段による判定結果に応じた運転状態情報を記憶する運転状態記憶手段と、前記記憶手段に記憶された運転状態情報に基づき前記情報処理装置の選択画面を表示するための画面情報を生成する生成手段と、前記生成手段により生成された画面情報を前記情報閲覧装置へ提供する画面情報提供手段とを備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
光源と、該光源からの光を、入力された映像信号に応じて変調することにより画像を形成する液晶表示デバイスとを有する液晶表示装置において、
前記光源からの光の輝度を制御する光源制御手段と、前記映像信号の振幅を変化させる可変利得増幅手段と、入力対出力特性に従い前記映像信号のレベルを変換して出力する変換手段と、コントローラとを備え、
前記コントローラは、前記光源制御手段によって前記光源からの光の輝度が第１輝度から第２輝度に制御された場合に、前記可変利得増幅手段の利得を制御し、前記変換手段の入力対出力特性を制御することを特徴とする液晶表示装置。
【請求項２】
光源と、該光源からの光を、入力された映像信号に応じて変調することにより画像を形成する液晶表示デバイスとを有する液晶表示装置において、
前記光源からの光の輝度を制御する光源制御手段と、前記映像信号の振幅を変化させる可変利得手段と、入力対出力特性に従い前記映像信号のレベルを変換して出力する変換手段と、コントローラとを備え、
前記コントローラは、前記光源制御手段によって前記光源のからの光の輝度が第１輝度から、該第１輝度よりも低い第２輝度に制御された場合に、可変利得増幅手段の利得を上げるように制御するとともに、前記変換手段の入力対出力特性を制御することを特徴とする液晶表示装置。
【請求項３】
光源と、該光源からの光を、入力された映像信号に応じて変調することにより画像を形成する液晶表示デバイスとを有する液晶表示装置において、
前記光源からの光の輝度を、第１輝度または該第１輝度よりも低い第２輝度に制御するための光源制御手段と、
前記光源からの光の輝度が前記第１輝度のときに第１利得とされ、前記光源からの光の輝度が前記第２輝度のときに第２利得とされ、該第１または第２利得に従い前記映像信号を増幅する可変利得増幅手段と、
前記光源からの光の輝度が前記第１輝度のときに第１の入力対出力特性とされ、前記光源からの光の輝度が前記第２輝度のときに第１の入力対出力特性とされ、該第１または第２の入力対出力特性に従い入力された前記映像信号のレベルを変換して出力する変換手段と、
前記光源からの光の輝度が前記第１輝度のときに前記映像信号の直流レベルを第１直流レベルし、前記光源からの光の輝度が前記第２輝度のときに前記映像信号の直流レベルを第２直流レベルとする直流レベル制御手段と、を備え、
前記第１利得は第２利得よりも大きく、かつ前記第１直流レベルは前記第２直流レベルよりも大きいことを特徴とする液晶表示装置。
【請求項４】
請求項３に記載の液晶表示装置において、前記液晶表示デバイスは、赤、青及び緑の３原色に夫々対応する映像信号が入力され、前記可変利得増幅手段、前記変換手段及び前記直流レベル制御手段は、各映像信号のそれぞれを個別に制御することを特徴とする液晶表示装置。
【請求項５】
請求項１乃至４のいずれかに記載の液晶表示装置において、前記液晶表示デバイスからの光を検出する検出手段を更に備え、該検出手段の出力に応じて前記可変利得増幅手段及び／または前記直流レベル制御手段を制御するようにしたことを特徴とする液晶表示装置。
【請求項６】
光源と、該光源からの光を、入力された映像信号に応じて変調することにより画像を形成する液晶表示デバイスとを有する液晶表示装置において、
前記光源からの光の輝度を、第１輝度または該第１輝度よりも低い第２輝度に制御するための光源制御手段と、
前記光源からの光の輝度が前記第１輝度のときに第１コントラストとし、前記光源からの光の輝度が前記第２輝度のときに第２コントラストとするように、前記映像信号のコントラストを制御するコントラスト制御手段と、
前記光源からの光の輝度が前記第１輝度のときに第１の入力対出力特性とされ、前記光源からの光の輝度が前記第２輝度のときに第１の入力対出力特性とされ、該第１または第２の入力対出力特性に従い入力された前記映像信号のレベルを変換して出力する変換手段と、
前記光源からの光の輝度が前記第１輝度のときに第１ブライトとし、前記光源からの光の輝度が前記第２輝度のときに第２ブライトとするように、前記映像信号のブライトネスを制御するブライトネス制御手段とを備えることを特徴とする液晶表示装置。
【請求項７】
請求項６に記載の液晶表示装置において、前記第１コントラストは前記第２コントラストよりも大きく、前記第１ブライトは前記第２ブライトよりも高いことを特徴とする液晶表示装置。
【手続補正２】
【補正対象書類名】明細書
【補正対象項目名】０００４
【補正方法】変更
【補正の内容】
【０００４】
本発明の目的は、光源からの光の輝度変化に対応して好適な画像を得ることが可能な液晶表示装置を提供することにある。
【手続補正３】
【補正対象書類名】明細書
【補正対象項目名】０００５
【補正方法】変更
【補正の内容】
【０００５】
【課題を解決するための手段】
本発明は、光源からの光を入力された映像信号に応じて変調することにより画像を形成する液晶表示デバイスとを有する液晶表示装置において、前記光源からの光の輝度を制御する光源制御手段と、前記映像信号の振幅を変化させる可変利得増幅手段と、入力対出力特性に従い前記映像信号のレベルを変換して出力する変換手段と、コントローラとを備え、前記コントローラは、前記光源制御手段によって前記光源からの光の輝度が第１輝度から第２輝度に制御された場合に、前記可変利得増幅手段の利得を制御し、前記変換手段の入力対出力特性を制御することを特徴とする。
【手続補正４】
【補正対象書類名】明細書
【補正対象項目名】００２４
【補正方法】変更
【補正の内容】
【００２４】
【発明の効果】
本発明によれば、光源からの光の輝度変化に応じた好適な画像を得ることが可能となる。